(57)【要約】【課題】  ドレン篭の部品点数を減らし、製品コストを削減する。【解決手段】  底網Ｂと側網Ｓ１、Ｓ２の共通骨線２１〜２３に、側網に対して略直角を呈するカール部３１〜３３を設ける。巻き成形したカール部３１〜３３を設けると、当該カール部の外側部分で骨線を容易に曲げることが出来る。骨線２１〜２３は強度的には十分な太さをもつが、力をかければ、ひとの手で曲がる程度の太さの金属線材である。従って、骨線は現場で比較的容易に折り曲げることができる一方、カール部は、骨線を巻き成形したものであるから、それ自体はひとの力によっては変形しにくい。カール部を夾んで底網の外側に一体に成形した部分を、ひとの力で折り曲げて立ち上げれば、コイル材を用いるまでもなく、側網を簡単に立ち上げて成形することが出来る。【選択図】    図１
0003133937.tif 000002
【実用新案登録請求の範囲】
【請求項１】
底網と側網とを一体成形したドレン篭であって、
底網と側網の共通骨線に、側網に対して略直角を呈するカール部を設けることを特徴とするドレン篭。
【請求項２】
カール部は、骨線を一回転させて成形することを特徴とする請求項１記載のドレン篭。
【考案の詳細な説明】
【技術分野】
【０００１】
本考案は、内部に石材を詰めて各種土木作業において使用する金属製の網篭に係り、とくに現場における組み立てを単純化させることのできるドレン篭の構造に関する。
【背景技術】
【０００２】
海浜工事、河川工事、法面工事等では、金属製のネットで成形したボックス篭に砕石を詰めて現場に敷設することがある。構造はほぼ同じであるが、使用目的、大きさ、重量等によって、フトン篭、ドレン篭などの呼称で呼ばれる。
【０００３】
このうち、法面もしくは後背地から発生する湧水により法面土砂が侵食されることを防止するために使用されるドレン篭は、布設法面を面的な排水構造とする場合に優れた処理効果を発揮する。
【０００４】
図６は、工事対象となる法面１にドレン篭２を敷設して、ドレン篭２の上に客土３を行い、その上に張芝４を設ける場合を例示するものである。ドレン篭２の内部には砕石が詰めてあるので、法面１の強度を保ちつつ自然の状態に近い環境で雨水や湧水を処理することができる。
【０００５】
ドレン篭は、図７に示すように、底網５、長尺方向の側網６、側蓋７、上蓋８からなっている。従来、それぞれを独立のパネル材として成形し、底網５と他のパネル材（側網６、側蓋７、上蓋８）との結合は、例えば特許文献１、２に示すように、連結用のコイル材９を用いた。コイル材９を用いると、結合させるべき二本の骨線をコイル材９に夾むだけで良いので、現場における組み立てが容易であるという利点がある。
【特許文献１】特開２００３−１５５７２２
【特許文献１】特開２００４−２７０２６５
【考案の開示】
【考案が解決しようとする課題】
【０００６】
問題は、部品点数の増加と、それに伴う製品コストの上昇である。
【０００７】
大型のフトン篭のように、側網６が大きな場合は、輸送効率や底網５との結合強度を保つためにコイル材９を用いて独立形成したパネル材を組み立てる必要性もある。しかしながら、側網６の上下の寸法が比較的小さなドレン篭は、構造を単純化して部品点数を減らす可能性を残している。
【０００８】
そこで、本考案の目的は、現場における組み立ての作業性と強度を保ちつつ、ドレン篭の部品点数を減らし、製品コストを削減可能とする点にある。
【課題を解決するための手段】
【０００９】
前記目的を達成して、課題を解決するため、請求項１に係るドレン篭は、底網と側網の共通骨線に、側網に対して略直角を呈するカール部を設ける。
【００１０】
底網と側網の共通骨線に、巻き成形したカール部を設けると、当該カール部の外側部分で骨線を容易に曲げることが出来る。
【００１１】
骨線は強度的には十分な太さをもつが、力をかければ、ひとの手で曲がる程度の太さの金属線材である。従って、骨線は現場で比較的容易に折り曲げることができる。一方、骨線に設けるカール部は、骨線を巻き成形したものであるから、それ自体はひとの力によっては変形しにくい。
【００１２】
このため、カール部を夾んで底網の外側に一体に成形した部分を、ひとの力で折り曲げて立ち上げれば、コイル材を用いるまでもなく、側網を簡単に立ち上げて成形することが出来る。
【００１３】
請求項２は、カール部は、骨線を一回転させて成形する場合があるとするものである。カール部は、側網を作るときに折曲しても変形しにくいものであればよいから、通常の骨線の太さであれば、骨線を一回転させて巻き成形しておけば、側網を立ち上げる際にもカール部は変形しない。
【考案の効果】
【００１４】
本考案に係るドレン篭によれば、底網と側網を一体化させ、コイル材を使用することなく現場でドレン篭を作ることが出来る。従来必要だった、独立の側網が不要となるし、側網を底網に連結するコイル材も不要となるため、製造、輸送、現場への搬入、組み立ての各段階での単純化を図ることが出来る。製品コストも確実に低減する。
【考案を実施するための最良の形態】
【００１５】
図１〜図５は、底網Ｂと側網Ｓ１、Ｓ２を一体成形する、本考案に係るドレン篭の一実施形態を示すものである。
【００１６】
このドレン篭は、図１に示すように、長手方向に配した二本の長尺骨線１１、１２と、この長尺骨線１１、１２の左右端部と中間部に配した縦方向の短寸骨線（共通骨線）２１、２２、２３を備え、これらの骨線１１、１２、２１〜２３に金属製の金網を張ってある。
【００１７】
そして、短寸骨線２１〜２３に、それぞれ二カ所のカール部３１〜３３を設けて、底網Ｂとなる部分と側網Ｓ１、Ｓ２となる部分とを仕切る。図２に、カール部３１を拡大して示す（カール部３２、３３も同じ構造である）。
【００１８】
側網Ｓ１、Ｓ２は、底網Ｂの両サイドに二つ必要であり、その上下寸法は同一である。従って、カール部３１〜３３は、長尺骨線１１、１２からの寸法を同一にそろえて、短寸骨線２１〜２３の同一位置に二箇所設ける。
【００１９】
このようにすれば、作業者は、カール部３１〜３３を夾んで、その内側を底網Ｂの部分、外側を側網Ｓ１、Ｓ２の部分として簡単に区別することが出来る。カール部３１〜３３による、このような仮想的な領域区分の境界線を、図１に波線Ｄとして示した。
【００２０】
各パネルを独立して成形した従来のドレン篭の骨線と異なり、本考案に係る短寸骨線２１〜２３は、底網Ｂと側網Ｓ１、Ｓ２とを一体として成形する共通骨線となる。ドレン篭は側網Ｓ１、Ｓ２の上下寸法が比較的小さいので、一体成形したパネル材をトラック搬送することも可能である。
【００２１】
短寸骨線２１〜２３にカール部３１〜３３を設けることによって、底網Ｂと側網Ｓ１、Ｓ２とを一つのパネル材として成形できるので、現場においてドレン篭を組み立てるときは、図３に示すように、カール部３１〜３３の外側部分（波線Ｄの外側）を折り曲げ、側網Ｓ１、Ｓ２を立ち上げて形成することが出来る。なお図４に、短寸骨線２１の折曲状態を拡大して示す（短寸骨線２２、２３もカール部３２、３３の外側を折曲する）。
【００２２】
このように、適当本数、例えば三本の短寸骨線２１〜２３をカール部３１〜３３の外側で折り曲げれば、簡単に側網Ｓ１、Ｓ２を形成できるので、従来のように独立したパネル材としての側網を必要とせず、製品コストを低減することが可能となる。保管、輸送、現場への搬入作業も容易である。また連結用のコイル材も必要としない。この後、従来と同様に側蓋（図７の符号７）を取り付けて、砕石を入れ、上蓋（図７の符号８）を取り付ければ、ドレン篭が完成する。
【００２３】
従来のドレン篭に較べると、側網Ｓ１、Ｓ２の基端部に骨線がない。しかしながら、ドレン篭は、大きな荷重を上から受けないので、側網Ｓ１、Ｓ２の基端部に骨線がなくても実用上の問題を生じるケースは殆どない。
【００２４】
しかしながら、従来通りの荷重強度が要求される場合は、図５に示すように、カール部３１〜３３に補助骨線４０を挿通し、この補助骨線４０を適宜の手段で固定すればよい。例えば、補助骨線４０の端部を折曲して、左右両端のカール部３１、３３に係着させる等である。またクリップ等、適宜の係止金具を用いても良い。
【００２５】
以上のように、本考案に係るドレン篭によれば、底網Ｂと側網Ｓ１、Ｓ２を一体化させることが出来、現場における組み立ても熟練を要せず容易であるため、作業効率を高める効果も生ずる。
【００２６】
なお、カール部３１〜３３は、短寸骨線２１〜２３を巻き成形するものであるが、成形時の回転数は同一の箇所で一回転させるだけでよい。二以上の巻き数にしても良いが、短寸骨線２１〜２３は十分な強度をもっており、巻き数が一つであっても外力による変形はし難いからである。カール部３１〜３３は、側網Ｓ１、Ｓ２を立ちげる基端箇所を示すものであり、短寸骨線２１〜２３の両端部から所定の寸法で離隔させた位置にそれぞれ一つずつ設ければよい。その他の位置にカール部を設けても側網Ｓ１、Ｓ２の立ち上げには関係がないが、短寸骨線２１〜２３の強度は増加する。
【００２７】
カール部３１〜３３の径は、限定されない。カール部３１〜３３に補助骨線４０を挿通させる場合は、当該補助骨線４０の外径に見合う内径をもつよう成形すれば良い。カール部３１〜３３は、側網Ｓ１、Ｓ２を立ちげる基端箇所を示す役目を果たせばよいので、必ずしも円形である必要はない。楕円形、矩形であっても側網Ｓ１、Ｓ２を成形する役目を果たす。
【００２８】
側蓋および上蓋は、従来のドレン篭と同じように固定する。例えばコイル材を用いる等である。
【図面の簡単な説明】
【００２９】
【図１】実施形態に係る底網と側網の一体化の状態を例示する斜視図である。
【図２】図１のカール部を拡大して例示する図である。
【図３】図１の状態から側網を立ち上げた状態を例示する斜視図である。
【図４】図３の状態におけるカール部の折曲状態を拡大して例示する図である。
【図５】図３に示す状態でカール部に補助骨線を挿通させた場合を例示する図である。
【図６】一般的なドレン篭の使用状態を例示する図である。
【図７】従来のドレン篭を例示する斜視図である。
【符号の説明】
【００３０】
１１、１２  長尺骨線
２１、２２、２３  短寸骨線（共通骨線）
３１、３２、３３  カール部
４０  補助骨線
Ｂ  底網
Ｄ  底網と側網の領域区分の境界線
Ｓ１、Ｓ２  側網
【図１】
0003133937.tif 000003
【図２】
0003133937.tif 000004
【図３】
0003133937.tif 000005
【図４】
0003133937.tif 000006
【図５】
0003133937.tif 000007
【図６】
0003133937.tif 000008
【図７】
0003133937.tif 000009